【事件の表示】
　特願２０１７−１５３６４０号「遊技機」拒絶査定不服審判事件〔平成２９年１２月２８日出願公開、特開２０１７−２２５８３３号、請求項の数（１）〕について、次のとおり審決する。
【結　論】
　原査定を取り消す。
　本願の発明は、特許すべきものとする。
【理　由】
１　手続の経緯 
　本願は、平成２８年６月２０日に出願した特願２０１６−１２２１８０号（以下、「原出願」という。）の一部を平成２９年８月８日に新たな特許出願（特願２０１７−１５３６４０号）としたものであって、同年１２月８日に手続補正書が提出され、平成３０年９月２５日付けで拒絶の理由が通知され、これに対して、同年１１月２９日に意見書及び手続補正書が提出されたところ、平成３１年３月８日付け（送達日：同年３月１９日）で拒絶査定（以下、「原査定」という。）がなされ、これに対して、令和１年６月１９日に拒絶査定不服審判の請求がなされたものである。
２　原査定の概要
　原査定の概要は次のとおりである。 
理由１．（新規性）本件出願の請求項１に係る発明は、原出願の出願前に日本国内又は外国において、頒布された又は電気通信回線を通じて公衆に利用可能となった下記の引用文献１に記載された発明であるから、特許法第２９条第１項第３号に該当し、特許を受けることができない。
理由２．（進歩性）この出願の請求項１に係る発明は、原出願の出願前に日本国内又は外国において、頒布された又は電気通信回線を通じて公衆に利用可能となった下記の引用文献１に記載された発明に基いて、その出願前にその発明の属する技術の分野における通常の知識を有する者が容易に発明をすることができたものであるから、特許法第２９条第２項の規定により特許を受けることができない。
　引用文献１．特開２０１１−７２４７７号公報
３　本願発明
　本願の請求項１に係る発明（以下「本願発明」という。）は、平成３０年１１月２９日付けの手続補正書により補正された特許請求の範囲の請求項１に記載された事項により特定される次のとおりのものである（Ａ、Ｂ等の記号は、本願発明を分説するために合議体で付した）。 
  
「【請求項１】
　Ａ　第１識別情報を変動表示させる第１識別情報表示手段と、
　Ｂ　第２識別情報を変動表示させる第２識別情報表示手段と、
　Ｃ　前記第１識別情報または前記第２識別情報が特定態様で表示される場合に、可変入球口が入球可能状態となる特定遊技を実行する特定遊技実行手段と、
　を備え、
　Ｄ　複数の遊技状態を設定可能であり、
　Ｅ　前記複数の遊技状態のうち所定の遊技状態において、前記第１識別情報が変動表示していない場合は、前記第２識別情報を前記第１識別情報よりも大きく表示するものであり、
　Ｆ　前記所定の遊技状態において、前記第１識別情報が変動表示する場合は、前記第１識別情報が変動表示する前よりも前記第１識別情報を大きく表示する
　Ｇ　ことを特徴とする遊技機。」
４　引用発明
　原査定の拒絶の理由に引用文献１として引用され、原出願の出願（出願日：平成２８年６月２０日）前に頒布され又は電気通信回線を通じて公衆に利用可能となった特開２０１１−７２４７７号公報（平成２３年４月１４日出願公開、以下「引用例」という。）には、遊技機に関し、図面と共に次の事項が記載されている（下線は引用発明等の認定に関連する箇所を明示するために合議体が付した。以下同様）。 
（１）「【００２１】
　図１は、本実施形態における
遊技機１
　・・・略・・・
【００６４】
　図５は、メイン制御基板１００における主たる機能構成を模式的に示したブロック図である。
メイン制御基板１００のＣＰＵ１０１
遊技制御部１１０として機能する
　・・・略・・・
【００７０】
　そして
遊技制御部１１０
第１特別図柄及び
第２特別図柄の一方を当選図柄で停止させた場合、遊技機１における遊技状態を大入賞口開放遊技へと移行させ
　・・・略・・・
【００７２】
　図６は、遊技機１における遊技状態の移行を示す状態遷移図である。
この遊技機１には、主として、通常遊技状態ＳＴ１、大入賞口開放遊技状態ＳＴ２、時短遊技状態ＳＴ３、確変遊技状態ＳＴ４、及び、潜伏確変遊技状態ＳＴ５の５つの遊技状態がある
（２）「【０２０８】
　図３２は、画像表示器８における保留状態を反映した表示態様の一例を示す図である。この例では、画像表示器８の表示画面を、上下２つの表示領域に分割しており、
表示画面の上部にある第１の演出画像表示領域８ａは、第１特別図柄の変動表示に対応した
第１装飾図柄８１の変動表示が行われる
表示画面の下部にある第２の演出画像表示領域８ｂは、第２特別図柄の変動表示に対応した
第２装飾図柄８２の変動表示が行われる
第１の演出画像表示領域８ａと、第２の演出画像表示領域８ｂとの間には、領域の境界を示す境界線８５が表示されており、第１特別図柄の変動表示の保留数と、第２特別図柄の変動表示の保留数との多寡に応じて、この境界線８５の位置が上下に変動する。より具体的な例を挙げると、第１特別図柄の変動表示の保留数が第２特別図柄の変動表示の保留数よりも多い場合には、境界線８５の位置が下方に移動し、第１特別図柄の変動表示の保留数が第２特別図柄の変動表示の保留数よりも少ない場合には、境界線８５の位置が上方に移動する。
【０２０９】
　尚、図例では、第１装飾図柄８１及び第２装飾図柄のいずれも、数字などを付した３列の図柄が表示される場合を示している。そして、それら３列の図柄が全て同じ図柄で揃った状態で停止すれば「大当たり」となる。また例えば、左右２つの図柄が揃った状態で停止し、中央の図柄が左右の図柄に対して１だけ異なる数字の図柄で停止すれば「小当たり」となる。
【０２１０】
　例えば、図３２（ａ）は、第１特別図柄の変動表示の保留数と、第２特別図柄の変動表示の保留数とが同数である場合を示している。したがって、第１特別図柄及び第２特別図柄の変動表示の保留数が同数であれば、第１の演出画像表示領域８ａと第２の演出画像表示領域８ｂとがほぼ同じ表示サイズとなり、各領域で表示される第１装飾図柄８１と第２装飾図柄８２もほぼ同じ大きさで表示される。このとき、境界線８５は、表示画面のほぼ中央に位置している。
【０２１１】
　また、
図３２（ｂ）
このように、第１特別図柄の変動表示の保留数が、第２特別図柄の変動表示の保留数よりも多い場合には、第１の演出画像表示領域８ａが第２の演出画像表示領域８ｂよりも大きな表示サイズとなり、第１装飾図柄８１は第２装飾図柄８２よりも大きく表示される。このとき、境界線８５は、表示画面の中央よりも下方に位置している。
【０２１２】
　また、図３２（ｃ）は、例えば、第１特別図柄の変動表示の保留数が２個であり、第２特別図柄の変動表示の保留数が３個である場合を示している。このように、第２特別図柄の変動表示の保留数が、第１特別図柄の変動表示の保留数よりも多い場合には、第２の演出画像表示領域８ｂが第１の演出画像表示領域８ａよりも大きな表示サイズとなり、第２装飾図柄８２は第１装飾図柄８１よりも大きく表示される。このとき、境界線８５は、表示画面の中央よりも上方に位置している。
【０２１３】
　また、
図３２（ｄ）
このように、第１特別図柄の変動表示の保留数が０個となり、第１特別図柄の変動表示が行われない状態において、第２特別図柄の変動表示のみが行われる場合、第１特別図柄に対応した演出画像を表示する第１の演出画像表示領域８ａが所定の最小サイズに縮小され、
画像表示器８の画面右上などに小さく表示された状態となる
これに対し、変動表示が行われる第２特別図柄に対応した演出画像を表示する第２の演出画像表示領域８ｂは、画像表示器８の画面サイズとほぼ等しいサイズにまで拡大され、画像表示器８のほぼ全体で、第２特別図柄の変動表示に対応した第２装飾図柄８２の変動表示が行われる。
例えば、時短遊技状態ＳＴ３又は確変遊技状態ＳＴ４において、
表示態様となる
【０２１４】
　また、
図３２（ｅ）
このように、第２特別図柄の変動表示の保留数が０個となり、第２特別図柄の変動表示が行われない状態において、第１特別図柄の変動表示のみが行われる場合、第２特別図柄に対応した演出画像を表示する第２の演出画像表示領域８ｂが所定の最小サイズに縮小され、図例のように、画像表示器８の画面右下などに小さく表示された状態となる。これに対し、変動表示が行われる第１特別図柄に対応した演出画像を表示する第１の演出画像表示領域８ａは、画像表示器８の画面サイズとほぼ等しいサイズにまで拡大され、画像表示器８のほぼ全体で、第１特別図柄の変動表示に対応した第１装飾図柄８１の変動表示が行われる。
例えば通常遊技状態ＳＴ１又は潜伏確変遊技状態ＳＴ５において
表示態様となる
【０２１５】
　このように、演出制御部２０３は、第１特別図柄及び２特別図柄の変動表示の保留状態に応じて、第１の演出画像表示領域８ａの表示サイズと、第２の演出画像表示領域８ｂの表示サイズとを決定し、画像制御基板１４０に対してそれらの表示サイズを指示することにより、画像表示器８における表示態様を制御する。つまり、第１特別図柄及び２特別図柄の変動表示の保留状態が変動すれば、それに応じて境界線８５が移動し、画像表示器８における表示態様が変動する。そのため、遊技者は、画像表示器８の表示態様、特に第１及び第２の演出画像表示領域８ａ，８ｂのそれぞれの表示サイズを確認することにより、第１特別図柄及び２特別図柄の変動表示の保留状態がどのような状態であるかを把握することが可能である。」
（３）「【図６】
」
（４）「【図３２】
」
（５）上記（１）の【００７２】に、「この遊技機１には、主として、通常遊技状態ＳＴ１、大入賞口開放遊技状態ＳＴ２、時短遊技状態ＳＴ３、確変遊技状態ＳＴ４、及び、潜伏確変遊技状態ＳＴ５の５つの遊技状態がある」という記載があるところ、上記（３）（【図６】）の図示内容から、遊技機１がそれら５つの遊技状態のいずれかに設定されることが看取できるから、
通常遊技状態ＳＴ１、大入賞口開放遊技状態ＳＴ２、時短遊技状態ＳＴ３、確変遊技状態ＳＴ４、及び、潜伏確変遊技状態ＳＴ５の５つの遊技状態に設定可能である
（６）上記（１）ないし（５）の記載内容からみて、引用例には、次の発明（以下「引用発明」という。）が記載されている。なお、ａ、ｂ等の記号については本願発明のＡ、Ｂ等の記号に対応させて付与し、引用箇所の段落番号等を併記した。 
（引用発明）
「ａ、ｂ　表示画面の上部にある第１の演出画像表示領域８ａは、第１特別図柄の変動表示に対応した第１装飾図柄８１の変動表示が行われ、表示画面の下部にある第２の演出画像表示領域８ｂは、第２特別図柄の変動表示に対応した第２装飾図柄８２の変動表示が行われ（【０２０８】）、
ｃ　第１特別図柄及び第２特別図柄の一方を当選図柄で停止させた場合、遊技機１における遊技状態を大入賞口開放遊技へと移行させる遊技制御部１１０として機能するメイン制御基板１００のＣＰＵ１０１（【００６４】、【００７０】）を備え、
ｄ　通常遊技状態ＳＴ１、大入賞口開放遊技状態ＳＴ２、時短遊技状態ＳＴ３、確変遊技状態ＳＴ４、及び、潜伏確変遊技状態ＳＴ５の５つの遊技状態に設定可能であり（上記（５）、【００７２】、【図６】）、
ｅ　第１特別図柄の変動表示の保留数が０個となり、第１特別図柄の変動表示が行われない状態において、第２特別図柄の変動表示のみが行われる場合、第１特別図柄に対応した演出画像を表示する第１の演出画像表示領域８ａが所定の最小サイズに縮小され、画像表示器８の画面右上などに小さく表示された状態となるのに対し、変動表示が行われる第２特別図柄に対応した演出画像を表示する第２の演出画像表示領域８ｂは、画像表示器８の画面サイズとほぼ等しいサイズにまで拡大され、画像表示器８のほぼ全体で、第２特別図柄の変動表示に対応した第２装飾図柄８２の変動表示が行われる表示態様となり、例えば、時短遊技状態ＳＴ３又は確変遊技状態ＳＴ４において、このような表示態様となり（【０２１３】、図３２（ｄ））、
　第２特別図柄の変動表示の保留数が０個となり、第２特別図柄の変動表示が行われない状態において、第１特別図柄の変動表示のみが行われる場合、第２特別図柄に対応した演出画像を表示する第２の演出画像表示領域８ｂが所定の最小サイズに縮小され、画像表示器８の画面右下などに小さく表示された状態となるのに対し、変動表示が行われる第１特別図柄に対応した演出画像を表示する第１の演出画像表示領域８ａは、画像表示器８の画面サイズとほぼ等しいサイズにまで拡大され、画像表示器８のほぼ全体で、第１特別図柄の変動表示に対応した第１装飾図柄８１の変動表示が行われる表示態様となり、例えば通常遊技状態ＳＴ１又は潜伏確変遊技状態ＳＴ５においてこのような表示態様となる（【０２１４】、図３２（ｅ））、
ｇ　遊技機１（【００２１】）。」
５　対比・判断
（１）本願発明と引用発明を対比する。なお、以下の見出しの（ａ）、（ｂ）等は、本願発明のＡ、Ｂ等の記号に対応させている。 
（ａ）（ｂ）引用発明の「第１装飾図柄８１」及び「第２装飾図柄８２」のうち、一方が本願発明の「第１識別情報」に相当し、他方が本願発明の「第２識別情報」に相当する。
　そうすると、引用発明の「第１の演出画像表示領域８ａ」及び「第２の演出画像表示領域８ｂ」のうち、一方が本願発明の「第１識別情報表示手段」に相当し、他方が「第２識別情報表示手段」に相当する。
　したがって、引用発明の構成ａ、ｂは、本願発明の構成Ａ、Ｂに相当する。
（ｃ）引用発明において、「メイン制御基板１００のＣＰＵ１０１」は、第１特別図柄及び第２特別図柄の一方を当選図柄で停止させた場合、遊技機１における遊技状態を大入賞口開放遊技へと移行させるものである。ここで、引用発明の「当選図柄」、「大入賞口開放遊技」は、それぞれ、本願発明の「特定態様」、「可変入球口が入球可能状態となる特定遊技」に相当する。
　そうすると、引用発明の「メイン制御基板１００のＣＰＵ１０１」は、本願発明の「特定遊技実行手段」に相当する構成を備えるものといえる。
　したがって、引用発明の構成ｃは、本願発明の構成Ｃに相当する。
（ｄ）引用発明における「通常遊技状態ＳＴ１、大入賞口開放遊技状態ＳＴ２、時短遊技状態ＳＴ３、確変遊技状態ＳＴ４、及び、潜伏確変遊技状態ＳＴ５の５つの遊技状態に設定可能であ」ることは、本願発明における「複数の遊技状態を設定可能であ」ることに相当する。
　したがって、引用発明の構成ｄは、本願発明の構成Ｄに相当する。
（ｅ）引用発明において、第１特別図柄の変動表示が行われない状態にて、第２特別図柄の変動表示のみが行われる場合（以下、「第１の場合」という。）には、第１特別図柄に対応した演出画像、すなわち、第１装飾図柄８１（当該第１の場合においては「第１識別情報」に相当する。）の変動表示が行われない一方で、第２特別図柄に対応した演出画像、すなわち、第２装飾図柄８２（当該第１の場合においては「第２識別情報」に相当する。）の変動表示が行われることとなるから、当該第１の場合は、第１装飾図柄８１（「第１識別情報」）の変動表示が行われない状態にて、第２装飾図柄８２（「第２識別情報」）の変動表示のみが行われる場合ともいえる。
　そして、引用発明において、上記第１の場合、換言すれば、第１装飾図柄８１（「第１識別情報」）の変動表示が行われない状態にて、第２装飾図柄８２（「第２識別情報」）の変動表示のみが行われる場合、第１装飾図柄８１（「第１識別情報」）を表示する第１の演出画像表示領域８ａ（「第１識別情報表示手段」）が所定の最小サイズに縮小される一方で、変動表示が行われる第２装飾図柄８２（「第２識別情報」）を表示する第２の演出画像表示領域８ｂ（「第２識別情報表示手段」）は画像表示器８の画面サイズとほぼ等しいサイズにまで拡大されるのであるから、当該場合は、第２装飾図柄８２（「第２識別情報」）を第１装飾図柄８１（「第１識別情報」）よりも大きく表示するといえる。
　そして、このような表示態様は、例えば、時短遊技状態ＳＴ３又は確変遊技状態ＳＴ４において行われるから、引用発明の「時短遊技状態ＳＴ３又は確変遊技状態ＳＴ４」は、本願発明の「前記複数の遊技状態のうちの所定の遊技状態」に相当する。
　また、引用発明において、第２特別図柄の変動表示が行われない状態にて、第１特別図柄の変動表示のみが行われる場合（以下、「第２の場合」という。）、換言すれば、第２装飾図柄８２（当該第２の場合においては「第１識別情報」に相当する。）の変動表示が行われない状態にて、第１装飾図柄８１（当該第２の場合においては「第２識別情報」に相当する。）の変動表示のみが行われる場合にも同様に、第１装飾図柄８１（「第２識別情報」）を第２装飾図柄８２（「第１識別情報」）よりも大きく表示するといえ、さらに、このような表示態様を実施する遊技状態として例示された「通常遊技状態ＳＴ１又は潜伏確変遊技状態ＳＴ５」は、本願発明の「前記複数の遊技状態のうちの所定の遊技状態」に相当する。
　そうすると、引用発明は、上記第１、２の場合のいずれにおいても、本願発明における「前記複数の遊技状態のうち所定の遊技状態において、前記第１識別情報が変動表示していない場合は、前記第２識別情報を前記第１識別情報よりも大きく表示するものであ」る構成を備えるものである。
　したがって、引用発明の構成ｅは、本願発明の構成Ｅに相当する。
（ｇ）引用発明の「遊技機１」は、本願発明の「遊技機」に相当する。
　したがって、引用発明の構成ｇは、本願発明の構成Ｇに相当する。
（２）上記（１）からみて、本願発明と引用発明とは、 
「Ａ　第１識別情報を変動表示させる第１識別情報表示手段と、
　Ｂ　第２識別情報を変動表示させる第２識別情報表示手段と、
　Ｃ　前記第１識別情報または前記第２識別情報が特定態様で表示される場合に、可変入球口が入球可能状態となる特定遊技を実行する特定遊技実行手段と、
　を備え、
　Ｄ　複数の遊技状態を設定可能であり、
　Ｅ　前記複数の遊技状態のうち所定の遊技状態において、前記第１識別情報が変動表示していない場合は、前記第２識別情報を前記第１識別情報よりも大きく表示するものである、
　Ｇ　遊技機。」である点で一致し、以下の点で相違する。
［相違点］（構成Ｆ）
　本願発明では、「前記所定の遊技状態において、前記第１識別情報が変動表示する場合は、前記第１識別情報が変動表示する前よりも前記第１識別情報を大きく表示する」のに対して、
　引用発明では、そのような特定がない点。
（３）上記相違点について検討する。
　ア　本願発明の「前記所定の遊技状態」について、上記「（１）（ｅ）」で説示したように、上記第１の場合には、引用発明の「時短遊技状態ＳＴ３又は確変遊技状態ＳＴ４」が相当し、上記第２の場合には、引用発明の「通常遊技状態ＳＴ１又は潜伏確変遊技状態ＳＴ５」が相当する。
　イ　まず、上記第１の場合について検討する。
（ア）引用例には、
　上記「４（２）」の【０２０８】に、「第１の演出画像表示領域８ａと、第２の演出画像表示領域８ｂとの間には、領域の境界を示す境界線８５が表示されており、第１特別図柄の変動表示の保留数と、第２特別図柄の変動表示の保留数との多寡に応じて、この境界線８５の位置が上下に変動する。より具体的な例を挙げると、第１特別図柄の変動表示の保留数が第２特別図柄の変動表示の保留数よりも多い場合には、境界線８５の位置が下方に移動し、第１特別図柄の変動表示の保留数が第２特別図柄の変動表示の保留数よりも少ない場合には、境界線８５の位置が上方に移動する。」と記載されている。
　ここで、第１の演出画像表示領域８ａの大きさは、境界線８５の位置によって規定されるものであるところ、当該境界線８５は、第１特別図柄の変動表示の保留数と第２特別図柄の変動表示の保留数との多寡に応じて上下に変動するのであるから、第１の演出画像表示領域８ａの表示サイズは、第１特別図柄の変動表示の保留数が第２特別図柄の変動表示の保留数よりも多いか少ないかに応じて定まるものであると認められる。
　また、第１の演出画像表示領域８ａは、第１特別図柄に対応した第１装飾図柄８１（「第１識別情報」）を表示する領域であるから、第１の演出画像表示領域８ａの表示サイズに合わせて、第１装飾図柄８１（「第１識別情報」）の表示サイズが変化することは明らかであって、第１の演出画像表示領域８ａの表示サイズが小さくなれば、それに伴い、第１装飾図柄８１（「第１識別情報」）の表示サイズも小さくなり、第１の演出画像表示領域８ａの表示サイズが大きくなれば、それに伴い、第１装飾図柄８１（「第１識別情報」）の表示サイズも大きくなる。
　そうすると、第１装飾図柄８１（「第１識別情報」）の表示サイズも、第１特別図柄の変動表示の保留数が第２特別図柄の変動表示の保留数よりも多いか少ないかに応じて定まるものであるといえる。
（イ）また、引用例には、
　上記「４（２）」の【０２１３】に、「図３２（ｄ）」「のように、第１特別図柄の変動表示の保留数が０個となり、第１特別図柄の変動表示が行われない状態において、第２特別図柄の変動表示のみが行われる場合、第１特別図柄に対応した演出画像を表示する第１の演出画像表示領域８ａが所定の最小サイズに縮小され、画像表示器８の画面右上などに小さく表示された状態となるのに対し、変動表示が行われる第２特別図柄に対応した演出画像を表示する第２の演出画像表示領域８ｂは、画像表示器８の画面サイズとほぼ等しいサイズにまで拡大され、画像表示器８のほぼ全体で、第２特別図柄の変動表示に対応した第２装飾図柄８２の変動表示が行われる。」「例えば、時短遊技状態ＳＴ３又は確変遊技状態ＳＴ４において、第２始動口２１に遊技球が連続的に入球し、第１始動口１９には遊技球が入球しないような場合に、図３２（ｄ）のような表示態様となる。」と記載され、
　上記「４（２）」の【０２１２】に、「図３２（ｃ）」「のように、第２特別図柄の変動表示の保留数が、第１特別図柄の変動表示の保留数よりも多い場合には、第２の演出画像表示領域８ｂが第１の演出画像表示領域８ａよりも大きな表示サイズとなり、第２装飾図柄８２は第１装飾図柄８１よりも大きく表示される。このとき、境界線８５は、表示画面の中央よりも上方に位置している。」とも記載されている。
　ここで、図３２（ｃ）のような表示態様となる遊技状態として、「時短遊技状態ＳＴ３又は確変遊技状態ＳＴ４」等のような特定の遊技状態は例示されていない。
（ウ）上記（ア）及び（イ）の記載に基づけば、引用発明において、例えば、第１特別図柄の変動表示の保留数が０個であって、第１特別図柄の変動表示が行われない状態から、第１始動口１９に遊技球が入球し、第１特別図柄の変動表示が開始された場合（以下、「第１−１の場合」という。）であれば、第１装飾図柄８１（「第１識別情報」）を表示する第１の演出画像表示領域８ａを、【図３２】（ｄ）に示されるような所定の最小サイズから、【図３２】（ｃ）に示されるような表示サイズに変更するように構成することは、当業者であれば容易に想到し得ることである。ここで、【図３２】（ｃ）に示されるような表示サイズは、【図３２】（ｄ）に示されるような所定の最小サイズよりも大きい表示であるところ、上記（ア）で説示したように、当該第１の演出画像表示領域８ａの表示サイズが大きくなることに伴い、第１装飾図柄８１（「第１識別情報」）の表示サイズも大きくなることは明らかである。
（エ）しかしながら、引用発明は、上記（ア）で説示したように、両特別図柄の保留数の大小関係に応じて表示サイズが変わることを前提とするものであって、引用例には、いずれか一方の図柄の変動表示が開始された場合に、当該図柄の表示サイズが他方の図柄に比べて大きくなるように表示する構成は記載されていない。
　その一方で、本願発明の構成Ｆ（「前記所定の遊技状態において、前記第１識別情報が変動表示する場合は、前記第１識別情報が変動表示する前よりも前記第１識別情報を大きく表示する」）は、両特別図柄の保留数の大小関係にかかわらず、一方の図柄の変動表示が開始された場合に、当該図柄の表示サイズが他方の図柄に比べて大きくなるように表示する旨の構成を特定したものと認められる。
（オ）そして、本願発明の構成Ｆにおける「第１識別情報が変動表示する場合」には、上記第１−１の場合だけでなく、例えば、第１特別図柄及び第２特別図柄の保留数がともに１個以上であって、第１特別図柄の変動表示が既に行われている状態から、当該変動表示が終了して次の新たな第１特別図柄の変動表示が開始された場合（以下、「第１−２の場合」という。）も含まれることは明らかである。
　そのため、引用発明に基づいて、上記第１−１の場合のような特定の場合にのみ、「前記複数の遊技状態のうち所定の遊技状態において、前記第１識別情報が変動表示していない場合は、前記第２識別情報を前記第１識別情報よりも大きく表示」可能であることにとどまらず、本願発明の構成Ｆが当業者にとって容易であるか否かを判断するため、上記第１−２の場合についても更に検討する。
（カ）上記（エ）で説示したとおり、引用発明は、両特別図柄の保留数の大小関係に応じて表示サイズが変わることを前提としたものである。
　そうすると、引用発明において、上記第１−２の場合には、（ａ）いずれか一方の図柄の変動表示が開始される前後で、両特別図柄の保留数の大小関係が変わらなければ、すなわち、第１特別図柄の保留数が第２特別図柄の保留数よりも多いまま、同数のまま又は少ないままであれば、第１装飾図柄８１（「第１識別情報」）の表示サイズは変わらないし、（ｂ）当該開始の前には第１特別図柄の保留数が第２特別図柄の保留数よりも多かったものの、当該開始のタイミングで第２始動口２１に遊技球が入球したことにより両図柄の保留数の大小関係が当該変動の前から逆転したのであれば、第１装飾図柄８１（「第１識別情報」）の表示サイズは小さくなる。
　このように、引用発明は、第１装飾図柄８１（「第１識別情報」）が変動表示する場合に、両特別図柄の保留数の大小関係によっては、第１装飾図柄８１（「第１識別情報」）の表示サイズが変わらなかったり（上記（ａ））、小さくなったり（上記（ｂ））するものであるから、引用発明において、第１装飾図柄８１（「第１識別情報」）が変動表示する場合は、両特別図柄の保留数の大小関係にかかわらず、当該第１装飾図柄８１（「第１識別情報」）が変動表示する前よりも第１装飾図柄８１（「第１識別情報」）を大きく表示するように構成することは、当業者にとって容易であるとはいえない。
（キ）したがって、引用発明に基づいて、上記第１−１の場合のような特定の場合にのみ、「前記複数の遊技状態のうち所定の遊技状態において、前記第１識別情報が変動表示していない場合は、前記第２識別情報を前記第１識別情報よりも大きく表示」可能とすることは、当業者にとって容易であるといえるものの、本願発明の構成Ｆ（「前記複数の遊技状態のうち所定の遊技状態において、前記第１識別情報が変動表示していない場合は、前記第２識別情報を前記第１識別情報よりも大きく表示するものであり」）のように構成することは、当業者にとって容易であるとはいえない。
　ウ　次に、上記第２の場合について検討する。
　引用例には、「図３２（ｅ）」「のように、第２特別図柄の変動表示の保留数が０個となり、第２特別図柄の変動表示が行われない状態において、第１特別図柄の変動表示のみが行われる場合」（上記「４（２）」の【０２１３】）や、「図３２（ｂ）」「のように、第１特別図柄の変動表示の保留数が、第２特別図柄の変動表示の保留数よりも多い場合」（上記「４（２）」の【０２１１】）について記載されているが、上記イで説示した上記第１の場合と同様の理由により、引用発明において、第２装飾図柄８２（「第１識別情報」）が変動表示する前よりも第２装飾図柄８２（「第１識別情報」）を大きく表示するということを特定することは、当業者にとって容易であるとはいえない。
　エ　上記イ及びウのとおり、上記第１、２の場合のいずれであっても、引用発明において、本願発明の構成Ｆ（「前記所定の遊技状態において、前記第１識別情報が変動表示する場合は、前記第１識別情報が変動表示する前よりも前記第１識別情報を大きく表示する」）に相当する構成を備えることは、当業者にとって容易ではない。
　オ　また、本願発明は、保留数にかかわらず、第１識別情報の変動表示の開始を遊技者に認識しやすくするという、引用発明が有さない効果を奏する。
　カ　以上のとおり、本願発明は、引用発明と同一ではなく、引用発明に基づいて、当業者が容易に想到し得るものでもない。
６　原査定について
（１）原査定では、
「例えば、［図３２］（ｄ）に示されるように、第１特別図柄の変動表示が行われない状態において、第１始動口１９に遊技球が入球し、第１特別図柄の変動表示が開始されれば、ほぼ［図３２］（ｃ）に示される大きさの第１の演出画像表示領域８ａで第１装飾図柄８１が表示され、当該第１の演出画像表示領域８ａは、最小サイズよりは大きくなるものと認められる」として、
　引用発明の【図３２】（ｄ）の表示態様が、本願発明の構成Ｅ（「前記複数の遊技状態のうち所定の遊技状態において、前記第１識別情報が変動表示していない場合は、前記第２識別情報を前記第１識別情報よりも大きく表示するものであり」）に相当し、
　引用発明の【図３２】（ｃ）の表示態様が、本願発明の構成Ｆ（「前記所定の遊技状態において、前記第１識別情報が変動表示する場合は、前記第１識別情報が変動表示する前よりも前記第１識別情報を大きく表示する」）に相当するとした上で、
　本願発明は引用発明であると判断している。
（２）ここで、本願発明は、構成Ｅで、「前記複数の遊技状態のうち所定の遊技状態において」と特定した上で、構成Ｆで、「前記所定の遊技状態において」と特定しているのであるから、構成Ｅと構成Ｆとが、同じ「所定の遊技状態において」なされるものであることは明らかである。
　しかしながら、引用例には、【図３２】（ｄ）の表示態様と【図３２】（ｃ）の表示態様について、上記「５（３）イ（イ）」で示したように、その具体例が個別に説明されているのみであって、それらの表示態様が同じ「所定の遊技状態」において行われる旨の明示的な記載はない。また、仮に、同じ遊技状態において【図３２】（ｄ）の表示態様から【図３２】（ｃ）の表示態様に移行することが、引用例に記載されているに等しい事項であると認められるとしても、両特別図柄の保留数の大小関係にかかわらず、本願発明の構成Ｆのように、いずれか一方の装飾図柄の変動表示の前後で、当該図柄の表示サイズが他方の図柄の表示サイズよりも大きくなることは、引用例に明示的に記載されていない上に、記載されているに等しい事項であるとも認められない。
（３）そうすると、上記「５（１）」及び「５（２）」で説示したように、引用発明は、本願発明の構成Ｆ（「前記所定の遊技状態において、前記第１識別情報が変動表示する場合は、前記第１識別情報が変動表示する前よりも前記第１識別情報を大きく表示する」）に相当する構成を備えているとはいえず、本願発明と引用発明とが相違点を有することは明らかである。
（４）そして、その相違点についての判断は、上記「５（３）」で説示したとおりである。
７　むすび 
　以上のとおり、原査定の理由によっては、本願を拒絶することはできない。
　また、他に本願を拒絶すべき理由を発見しない。
　よって、結論のとおり審決する。